(57)【要約】【課題】コンピュータ制御による統合が難しい既存の複数のスイッチについても、遠隔操作によって操作手順も簡略化することができる遠隔操作システムを提供する。【解決手段】既存の複数のスイッチにそれぞれ取り付けられる複数の遠隔操作装置を備え、前記遠隔操作装置が、取り付けられている前記スイッチの状態を変化させる駆動機構と、外部から入力される遠隔指令信号を受け付ける信号受付部と、受け付けられた遠隔指令信号に基づいて、前記駆動機構を動作させる制御部と、を備え、前記複数の遠隔操作装置が、それぞれ連動して動作するように構成されていることを特徴とする遠隔操作システム。【選択図】図１
2020077981.tif 000002
【特許請求の範囲】
【請求項１】
既存の複数のスイッチにそれぞれ取り付けられる複数の遠隔操作装置を備え、
前記遠隔操作装置が、
取り付けられている前記スイッチの状態を変化させる駆動機構と、
外部から入力される遠隔指令信号を受け付ける信号受付部と、
受け付けられた遠隔指令信号に基づいて、前記駆動機構を動作させる制御部と、を備え、
前記複数の遠隔操作装置が、それぞれ連動して動作するように構成されていることを特徴とする遠隔操作システム。
【請求項２】
前記複数の遠隔操作装置に対して遠隔指令信号を送信する指令部をさらに備えた請求項１記載の遠隔操作システム。
【請求項３】
前記指令部が、予め定められた動作レシピに基づいてそれぞれの遠隔操作装置に対して順番に対応する動作指令信号を送信する請求項２記載の遠隔操作システム。
【請求項４】
前記遠隔操作装置が、
前記駆動機構の動作が完了したことを示す完了信号を前記指令部に送信する完了通知部をさらに備え、
前記指令部が、ある遠隔操作装置から完了信号を受信した場合に別の遠隔操作装置に動作指令信号を送信するように構成されている請求項２又は３記載の遠隔操作システム。
【請求項５】
前記指令部が、前記複数の遠隔操作装置とは別に設けられている請求項２乃至４いずれかに記載の遠隔操作システム。
【請求項６】
前記指令部が、前記複数の遠隔操作装置に設けられている請求項２乃至４いずれかに記載の遠隔操作システム。
【請求項７】
前記遠隔操作装置が、
前記駆動機構が前記スイッチに取り付けられた状態で外部に露出するように設けられた表示器と、をさらに備え、
前記表示器が、前記駆動機構が取り付けられている前記スイッチの名称を表示する名称表示領域と、当該スイッチの状態を示す状態表示領域を少なくとも表示する請求項１乃至６いずれかに記載の遠隔操作システム。
【発明の詳細な説明】
【技術分野】
【０００１】
本発明は既存のスイッチに後付される複数の遠隔操作装置により構成された遠隔操作システムに関するものである。
【背景技術】
【０００２】
機器を操作するための操作盤には、各部の稼働、停止、又は、運転状態の選択を行うためのスイッチがそれぞれ設けられている。機器に対して所定の動作を行わせるために、オペレータは予め定められた手順で各スイッチを手動で操作している場合がある（特許文献１参照）。
【０００３】
一方、スイッチが多数になると操作手順が複雑になってしまうので、コンピュータ等による制御が操作盤に予め実装されることもある。
【０００４】
しかしながら、例えば工場や船舶等に備えられている機器は、導入当初より変更されずに長く使われていることが多く、故障や特別な要求がない限り、操作盤のみを自動制御等が組込まれた最新のものにリニューアルされることはほとんどない。また、新たに導入される関連機器が他社製であることも多く、全ての機器を１つの操作盤で操作するように統合できない場合がある。このため、現在でもオペレータが手動で多数のスイッチを順番に操作せざるを得ないことがある。
【０００５】
また、このような操作盤は機器の近傍に配置され、オペレータが常駐している場所から離れていることもあるので、オペレータは手動での操作のために移動しなくてはならない場合もある。
【先行技術文献】
【特許文献】
【０００６】
【特許文献１】特開２０１４−２０４４９６号公報
【発明の概要】
【発明が解決しようとする課題】
【０００７】
本発明は上述したような問題に鑑みてなされたものであり、コンピュータ制御による統合が難しい既存の複数のスイッチについても、遠隔操作によって操作手順も簡略化することができる遠隔操作システムを提供することを目的とする。
【課題を解決するための手段】
【０００８】
すなわち、本発明に係る遠隔操作システムは、既存の複数のスイッチにそれぞれ取り付けられる複数の遠隔操作装置を備え、前記遠隔操作装置が、取り付けられている前記スイッチの状態を変化させる駆動機構と、外部から入力される遠隔指令信号を受け付ける信号受付部と、受け付けられた遠隔指令信号に基づいて、前記駆動機構を動作させる制御部と、を備え、前記複数の遠隔操作装置が、それぞれ連動して動作するように構成されていることを特徴とする。
【０００９】
このようなものであれば、既存の複数のスイッチに対してそれぞれ前記遠隔操作装置を取り付けるだけで、遠隔操作機能を付加することができる。さらに、前記複数の遠隔操作装置が、それぞれ連動して動作するように構成されているので、例えばある機器を動作させるのに起点となるスイッチに取り付けられた前記遠隔操作装置をオペレータが動作させるだけで残りの操作を他の遠隔操作装置で自動的に行わせることができる。したがって、多数のスイッチがある場合でも複雑な操作手順をオペレータは完全に覚える必要がなく、操作の手間を大幅に低減できる。
【００１０】
各遠隔操作装置を連動させるために複雑なプログラムを作成しなくても、前記制御部に入力される遠隔指令信号によって各遠隔操作装置の連動機能を実現できるようにするには、前記複数の遠隔操作装置に対して遠隔指令信号を送信する指令部をさらに備えたものであればよい。
【００１１】
機器を動作させるために例えば各遠隔操作装置に対して順番に遠隔指令信号が入力されて、既存の各スイッチに対して必要となる一連の操作が各遠隔操作装置により入力されるようにするには、前記指令部が、予め定められた動作レシピに基づいてそれぞれの遠隔操作装置に対して順番に対応する動作指令信号を送信するものであればよい。
【００１２】
例えば事故等を防ぐために複数のスイッチが同時に操作されるのを防ぐことができるように順番にスイッチの状態が変更されるようにするには、前記遠隔操作装置が、前記駆動機構の動作が完了したことを示す完了信号を前記指令部に送信する完了通知部をさらに備え、前記指令部が、ある遠隔操作装置から完了信号を受信した場合に別の遠隔操作装置に動作指令信号を送信するように構成されていればよい。
【００１３】
遠隔操作装置をサーバクライアント型のネットワークで一括管理できるようにするには、前記指令部が、前記複数の遠隔操作装置とは別に設けられていればよい。このように構成すれば、例えばタブレットや据え置き型のコンピュータをサーバ、前記複数の遠隔操作装置をクライアントとして一括管理や制御を実現できる。
【００１４】
前記複数の遠隔操作装置がお互いに通信し合うことでピアツーピア型やメッシュ型のネットワークでスイッチの連動制御を実現するには、前記指令部が、前記複数の遠隔操作装置に設けられていればよい。
【００１５】
前記遠隔操作装置が既存のスイッチに取り付けられた状態でスイッチの全てが前記遠隔操作装置によって隠されている状態でもそのスイッチの役割や状態が前記遠隔操作装置を取り外さなくてもオペレータ等が認識できるようにするには、前記遠隔操作装置が、前記駆動機構が前記スイッチに取り付けられた状態で外部に露出するように設けられた表示器と、をさらに備え、前記表示器が、前記駆動機構が取り付けられている前記スイッチの名称を表示する名称表示領域と、当該スイッチの状態を示す状態表示領域を少なくとも表示するものであればよい。
【発明の効果】
【００１６】
このように本発明に係る遠隔操作システムによれば、機器の操作に用いられる複数のスイッチについて遠隔操作を可能とするだけでなく、各スイッチについて連動した動作も可能となる。したがって、例えば工場や船舶等において用いられている操作盤上のスイッチのように操作盤自体にコンピュータ制御を実装するのが難しい用途でも後付で遠隔自動操作が可能となる。また、オペレータによって手動で行われていた複雑なスイッチ操作についても大幅に簡略化することができる。
【図面の簡単な説明】
【００１７】
【図１】本発明の第１実施形態に係る遠隔操作システムについて示す模式図。
【図２】第１実施形態の遠隔操作装置を示す模式的斜視図。
【図３】第１実施形態の遠隔操作装置の内部構造を示す模式的断面図。
【図４】第１実施形態の遠隔操作システムの機能ブロック図。
【図５】第１実施形態の遠隔操作装置の表示器おける表示態様を示す模式図。
【図６】第１実施形態の管理端末におけるレイアウト設定画面を示す模式図。
【図７】第１実施形態の管理端末における遠隔操作装置の機能設定画面を示す模式図。
【図８】第１実施形態の管理端末における遠隔操作装置の連動動作設定画面を示す模式図。
【図９】本発明の第２実施形態に係る遠隔操作システムについて示す模式図。
【図１０】本発明の第３実施形態に係る遠隔操作システムについて示す模式図。
【図１１】本発明の第４実施形態に係る遠隔操作システムについて示す模式図。
【発明を実施するための形態】
【００１８】
本発明の第１実施形態に係る遠隔操作システム２００について各図を参照しながら説明する。
【００１９】
第１実施形態の遠隔操作システム２００は、例えば図１に示すように操作盤ＯＰ上にある複数のスイッチＳＷのうち少なくとも一部に対して、それぞれ遠隔操作装置１００を後付して遠隔操作できるように構成したものである。この操作盤ＯＰは例えば船舶における燃焼装置の制御を行うためのものであり、燃焼装置を正常に動作させるために所定の手順で各スイッチＳＷの状態を変更する必要がある。なお、第１実施形態の遠隔操作システム２００の適用例はこれに限られるものではなく、様々な複数のスイッチＳＷを備えた操作システムに適用可能である。
【００２０】
この遠隔操作システム２００は、図１に示すように複数のスイッチＳＷにそれぞれ取り付けられる遠隔操作装置１００と、各遠隔操作装置１００に対して信号を送信し、各種設定や動作に関する指令をする管理端末１０１と、を備えたものである。第１実施形態の遠隔操作システム２００は、各遠隔操作装置１００と管理端末１０１との間で信号の通信が行われることで、各遠隔操作装置１００が連動して動作するように構成されている。
【００２１】
以下では遠隔操作装置１００、及び、管理端末１０１の具体的な構成について説明する。
【００２２】
この遠隔操作装置１００はいわゆるＩｏＴスイッチであって、例えばＷｉｆｉ（登録商標）やＢｌｕｅｔｏｏｔｈ（登録商標）等の無線接続により外部からの信号を受信し、その信号の示す情報に応じて取り付けられている既存のスイッチＳＷの状態を変化させる。
【００２３】
遠隔操作装置１００は、図２に示すように概略円筒形状をなし、操作盤ＯＰ上の既存のスイッチＳＷを上側から完全に覆うように取り付けられる。第１実施形態では図２の斜視図及び図３の縦断面図に示すように遠隔操作装置１００の天面には表示器２である例えばＬＣＤ等のディスプレイが設けられている。ディスプレイの下側には遠隔操作装置１００の機能を制御する制御基板５が設けられている。遠隔操作装置１００は内部にバッテリーを備えており、このバッテリーから供給される電力によって各種機器が動作する。
【００２４】
また、遠隔操作装置１００の底面側の中央部には、スイッチＳＷの状態を変化させる駆動機構１の一部が露出している。ここで、スイッチＳＷの状態を変化させるとは、接点を切り替えることや、ボリュームを変化させること等を含む概念である。また、駆動機構１においてセレクタスイッチＳＷのノブ部分が差し込まれて固定されるスイッチアダプタ１５の凹部が露出している。駆動機構１は、第１実施形態では筺体内に収容されたモータ１１と、モータ１１の軸に取り付けられた第１ギア１２と、スイッチアダプタ１５の中心部から延びるシャフト１４に固定され、第１ギア１２と噛み合うように設けられた第２ギア１３と、から構成されている。スイッチアダプタ１５の回転角は例えばポテンショメータで検出されており、その検出角度に基づいて、スイッチアダプタ１５の回転角がセレクタスイッチＳＷのオン又はオフに相当する角度となるようにモータ１１の回転方向とオン又はオフのタイミングが制御される。ここで、既存のセレクタスイッチＳＷのオン又はオフ状態での角度は規格により定めら得ているので、スイッチアダプタ１５の回転角の目標値はそのような規格に基づいて予め設定されている。
【００２５】
遠隔操作装置１００の底面においてスイッチアダプタ１５の周囲には操作盤ＯＰの例えば金属製の筺体部分に磁力等により固定される円環状の固定部３が形成されている。例えば固定部３はネオジウム磁石等を用いて形成される。この固定部３に対してスイッチアダプタ１５は周方向に回転可能に構成されている。遠隔操作装置１００の円筒状の側面部をなす操作ベゼル４は、手動で固定部３側へ押し込むとともに、周方向に回転させると内部スイッチ４１でモータ１１が起動され、スイッチアダプタ１５を手動で回転した周方向に回転させられるように構成されている。
【００２６】
制御基板５は、ＣＰＵ、メモリ、Ａ／Ｄコンバータ、Ｄ／Ａコンバータ、各種入出力機器を備えたいわゆるコンピュータである。制御基板５は、メモリに記憶されている遠隔装置用プログラムを実行し、各種機器が協業することによって、図４に示すように少なくとも、設定記憶部５１、信号受付部５２、制御部５３、完了通知部５４、表示部５５としての機能を発揮するものである。
【００２７】
設定記憶部５１は管理端末１０１を用いて各種設定データを記憶するものである。例えば遠隔操作装置１００が取り付けられているスイッチＳＷの名称や、スイッチＳＷのオンオフ等の状態に関する判定指標を記憶している。
【００２８】
信号受付部５２は、外部から入力される遠隔指令信号を受け付けるものである。第１実施形態では管理端末１０１から送信される遠隔指令信号をＷｉｆｉ（登録商標）やＢｌｕｅｔｏｏｔｈ（登録商標）等の無線接続を介して受け付ける。
【００２９】
制御部５３は、信号受付部５２に受け付けられた遠隔指令信号に基づいて、前記駆動機構１を動作させるものである。第１実施形態では遠隔指令信号が示すオンオフ指令に基づいて、モータ１１の回転角を制御し、スイッチアダプタ１５及び取り付けられているセレクタスイッチＳＷのオンオフの切り替え制御を行う。
【００３０】
完了通知部５４は、信号受付部５２で受け付けられた遠隔指令信号に基づく動作が制御部５３により実行され完了した時点で管理端末１０１に対して駆動機構１によりオンオフの切り替えが完了したことを示す完了信号を無線接続により送信する。
【００３１】
表示部５５は、設定記憶部５１に記憶されている情報や制御部５３から取得されるスイッチＳＷの状態を表示器２であるディスプレイに表示する。具体的には図５に示すようにディスプレイにおいて駆動機構１が取り付けられているスイッチＳＷの名称を表示する名称表示領域２１と、当該スイッチＳＷの状態を示す状態表示領域２２と、スイッチＳＷの向きを表示する向き表示領域２３と、を少なくとも表示させる。なお、例えば向き表示領域２３についてはディスプレイ上において表示するのではなく、別途スイッチＳＷの向きを表示するＬＥＤ等をインジケータとして設けても良い。
【００３２】
第１実施形態では名称表示領域２１はディスプレイにおいて中央部に設定されており、その名称がアルファベット等の文字で表示される。この名称表示領域２１に表示されるスイッチＳＷの名称は管理端末１０１により設定され、設定記憶部５１内に記憶されている名称が表示される。すなわち、管理端末１０１によりスイッチＳＷの名称は適宜変更もできる。
【００３３】
加えて、状態表示領域２２はディスプレイにおいて下側部分に設定されており、セレクタスイッチＳＷが選択している状態を文字で表示する。この表示される状態についても管理端末１０１によって適宜変更できる。
【００３４】
また、向き表示領域２３はディスプレイやＬＥＤ等において上側部分に設定されており、セレクタスイッチＳＷの向いている方向と同じ方向にインジケータが点灯するように構成されている。この向き表示領域２３に示されるセレクタスイッチＳＷの向きは例えば制御部５３から得られるモータ１１の回転角やスイッチアダプタ１５の回転角度等の情報に基づいて表示される。
【００３５】
次に管理端末１０１について図４を参照しながら説明する。
【００３６】
管理端末１０１は第１実施形態では例えばタブレット端末であり、各遠隔操作装置１００と無線接続により接続され、各遠隔操作装置１００の設定、状態のモニタリング、動作指令を行うものである。すなわち、管理端末１０１と複数の遠隔操作装置１００によりサーバクライアント型のネットワークシステムが構築されている。
【００３７】
この管理端末１０１もＣＰＵ、メモリ、Ａ／Ｄコンバータ、Ｄ／Ａコンバータ、各種入出力機器を備えたいわゆるコンピュータであり、メモリに格納されている管理端末用プログラムが実行されることによって、少なくとも入力部６１、設定部６２、端末記憶部６３、指令部６４としての機能を発揮する。
【００３８】
入力部６１はオペレータからの入力を受け付けるものであり、例えば各遠隔操作装置１００に関する設定情報が入力されたり、スイッチＳＷの操作開始指令が入力されたりする。第１実施形態では入力部６１は管理端末１０１の例えばタッチパネルディスプレイによりその機能が実現される。管理端末１０１がタブレット端末以外の例えばパソコン等で構成されている場合には、入力部６１はキーボードやマウス等によりその機能が実現される。
【００３９】
設定部６２は、入力部６１に対するオペレータからの入力に基づいて各遠隔操作装置１００に対してスイッチＳＷの名称や動作に関する事項を設定する。オペレータは各遠隔操作装置１００がどのスイッチＳＷに対して取り付けられているかを管理端末１０１において認識しやすくするためにレイアウトを設定する。例えば図１のような操作盤ＯＰを例とすれば、図６に示す設定画面において各スイッチＳＷの位置をグリッドの格子点に見立てて、遠隔操作装置１００が取り付けられている場所を設定する。
【００４０】
次に図７に示すような各遠隔操作装置１００の機能設定画面に遷移させ、どのようなタイプのスイッチＳＷに取り付けられているか、取り付けられているスイッチＳＷの名称等を設定する。例えばスイッチの各接点の名称、スイッチ名については適宜オペレータが変更できる。このようにして設定された情報は転送ボタンが押されると対応する遠隔操作装置１００へ送信され、そのデータが設定記憶部５１に記憶される。
【００４１】
また、図８に示す連動動作設定画面では各遠隔操作装置１００の連動機能の設定も行うことができる。設定できる項目としては、連動、同時操作、タイミング、遅延、操作後の状態、禁則事項等が挙げられる。すなわち、設定中の遠隔操作装置１００について他の遠隔操作装置１００と連動をさせるかどうか、複数の遠隔操作装置１００間で同時に動作させるか、どの遠隔操作装置１００が動作した後に連動させて動作させるか、さらにどの程度遅延させて動作させるかを設定部６２は設定する。禁則事項としては他の遠隔操作装置１００の動作状況によっては所定の状態に変化することを禁止することが挙げられる。
【００４２】
このようにして設定部６２により設定される連動動作は例えば管理端末１０１の端末記憶部６３に動作レシピとして記憶される。
【００４３】
指令部６４は入力部６１に対して連動動作開始指令がオペレータにより入力された場合に、端末記憶部６３に記憶されている動作レシピに基づいて各遠隔操作装置１００に対して遠隔指令信号を出力する。具体的には動作レシピにおいて各遠隔操作装置１００を１つずつ所定時間遅延させて動作させるように設定されている場合には以下のような信号のやり取りが各遠隔操作装置１００と管理端末１０１との間で行われる。
【００４４】
管理端末１０１から第１の遠隔操作装置１００に対して取り付けられているセレクタスイッチＳＷをオンにするように遠隔指令信号が出力される。第１の遠隔操作装置１００はその遠隔指令信号に基づいてセレクタスイッチＳＷをオフからオンに変化させ、その動作が完了した時点で完了通知信号を管理端末１０１に送信する。
【００４５】
管理端末１０１は第１の遠隔操作装置１００から送信された完了通知信号を受信した後、動作レシピに設定されている遅延時間後に第２の遠隔操作装置１００に対して遠隔操作指令を送信する。第２の遠隔操作装置１００は遠隔操作指令を受信すると取り付けられているセレクタスイッチＳＷを動作させて完了通知信号を管理端末１０１へと送信する。このような動作が繰り返されることによって複数の遠隔操作装置１００間の連動動作が実現される。
【００４６】
このように構成された第１実施形態の遠隔操作システム２００の効果について説明する。
【００４７】
第１実施形態の遠隔操作システム２００であれば、既存の操作盤ＯＰに設けられた複数のスイッチＳＷについてそれぞれ複数の遠隔操作装置１００を後付することで、遠隔操作と連動制御を実現することができる。
【００４８】
したがって、オペレータが操作盤ＯＰのある場所まで移動して手動で操作する必要をなくすことができる。また、各遠隔操作装置１００を連動制御すること機器を動作させるために必要な一連の操作を自動で行わせる事が可能なので、複雑な操作手順をオペレータが覚えていなくてもよくできる。
【００４９】
さらに、連動制御時において各遠隔操作装置１００について同時に動作させたり、基準となる遠隔操作装置１００が動作してから所定時間遅延させてから別の遠隔操作装置１００を動作させたりできる。このため、機器の操作のために同時に行ったほうが良い操作や遅らせたほうが良い操作を適宜設定できるので、機器の癖や特徴を掴んだ操作も可能となる。あるいは、同時にすべきではない操作を禁止できるので、機器が危険な動作をしてしまうことも未然に防ぐことができる。
【００５０】
本発明の第２実施形態について図９を参照しながら説明する。なお、以降の各実施形態の説明においては、第１実施形態で説明した部材に対応する部材には同じ符号を付すこととする。
【００５１】
図９に示す第２実施形態の遠隔操作システム２００は、遠隔指令信号が管理端末１０１から送信されるのではなく、センサＳＮの出力信号を遠隔指令信号として利用している。
【００５２】
具体的にはスイッチＳＷに対して取り付けられた遠隔操作装置１００は、例えば有線により温度センサＳＮに接続されている。この遠隔操作装置１００は、温度センサＳＮで測定される温度が所定温度以上となったことを示す出力信号が入力された場合に、信号受付部５２は遠隔指令信号が入力されたと判断するように構成されている。
【００５３】
なお、管理端末１０１については主に遠隔操作装置１００の設定等を行うために用いられる。
【００５４】
このような第２実施形態の遠隔操作システム２００であれば、例えば周囲環境や機器の状態をセンサＳＮでモニタリングしておき、その状態の変化に応じてスイッチＳＷの状態を自動的に変更することが可能となる。
【００５５】
次に本発明の第３実施形態について図１０を参照しながら説明する。
【００５６】
第３実施形態では管理端末１０１がタブレット端末だけでなく、据え置き型のパソコンを含むものである。各管理端末１０１と各遠隔操作装置１００との間の通信はインターネット回線及び無線ルータ等のネットワークを介して行われる。
【００５７】
このような第３実施形態の遠隔操作システム２００であれば、例えば遠隔地にいるオペレータによって機器の操作や操作盤のスイッチ状態の把握が可能となる。
【００５８】
本発明の第４実施形態について図１１を参照しながら説明する。
【００５９】
第４実施形態の遠隔操作システム２００は操作盤ＯＰ上のスイッチＳＷを操作するためではなく、例えば家庭内の器具に設けられているスイッチＳＷを遠隔操作するために用いられるものである。具体的にはカセットコンロのオンオフ及び火力を調整するためのつまみに遠隔操作装置１００を取り付けてある。火力の調整を行えるように遠隔操作装置１００はオンオフの２点間の状態だけでなく、その間の状態も連続的にとり得るように構成されている。
【００６０】
このような第４実施形態の遠隔操作システム２００であれば、一般的な製品についても遠隔操作や自動制御を実現することができる。
【００６１】
その他の実施形態について説明する。
【００６２】
遠隔操作装置が取り付けられるスイッチは、セレクタスイッチに限られるものではなく、トグルスイッチ、ロータリースイッチ、プッシュスイッチ等様々な形式のものであってもよい。すなわち、スイッチの形式に応じて駆動機構の構成あるいはスイッチが取り付けられるスイッチアダプタの形状を適宜設定すればよい。具体的には駆動機構のスイッチアダプタは回転させるものに限られず、スイッチを押し込むように構成されていてもよい。
【００６３】
遠隔操作装置は既存のスイッチの全てに覆いかぶさる物に限られず、遠隔操作装置が取り付けられた状態で既存のスイッチの一部が外部に露出するように遠隔操作装置を構成してもよい。表示器は必ずしも天面に配置されるものに限られず、側面等のオペレータが視認できる位置に設けても良い。また、例えば管理端末でしかスイッチの状態等を確認せず、スイッチの状態等を遠隔操作装置上で表示しなくても良い場合には遠隔操作装置から表示器を省略してもよい。
【００６４】
管理端末の機能のうち指令部については、各遠隔操作装置内で実現されるものであってもよい。例えば各遠隔操作装置同士が無線により通信し合うようにしピアツーピア型のネットワークを構成してもよい。このような場合、各遠隔操作装置の指令部はスイッチの状態変更が完了した時点で次に動作するべき遠隔操作装置に対して遠隔指令信号を送信するように構成しておけば、順番に各スイッチの切り替えや操作を連動させることができる。
【００６５】
その他、本発明の趣旨に反しない限りにおいて、各実施形態の構成の一部同士を組み合わせたり、構成の一部を変形したりしても構わない。
【符号の説明】
【００６６】
２００・・・遠隔操作システム
１００・・・遠隔操作装置（ＩｏＴスイッチ）
１０１・・・管理端末
１    ・・・駆動機構
２    ・・・表示器
３    ・・・固定部
４    ・・・操作ベゼル
４１  ・・・内部スイッチ
５    ・・・制御基板
１１  ・・・モータ
１２  ・・・第１ギア
１３  ・・・第２ギア
１４  ・・・シャフト
１５  ・・・スイッチアダプタ
２１  ・・・名称表示領域
２２  ・・・状態表示領域
２３  ・・・向き表示領域
５１  ・・・設定記憶部
５２  ・・・信号受付部
５３  ・・・制御部
５４  ・・・完了通知部
５５  ・・・表示部
６１  ・・・入力部
６２  ・・・設定部
６３  ・・・端末記憶部
６４  ・・・指令部
【図１】
2020077981.tif 000003
【図２】
2020077981.tif 000004
【図３】
2020077981.tif 000005
【図４】
2020077981.tif 000006
【図５】
2020077981.tif 000007
【図６】
2020077981.tif 000008
【図７】
2020077981.tif 000009
【図８】
2020077981.tif 000010
【図９】
2020077981.tif 000011
【図１０】
2020077981.tif 000012
【図１１】
2020077981.tif 000013